(57)【要約】【課題】静電容量式のタッチパネルに表示された画像へのスクロール操作の精度が向上した試験装置、試験治具、及び試験方法を提供することを課題とする。【解決手段】本明細書に開示の試験装置は、保持部と、導電性及び弾性を有し、被試験体の静電容量式のタッチパネルに向けて凸状になるように所定の軸周りに湾曲し、前記保持部に保持された弾性部と、前記弾性部が弾性変形して前記タッチパネルを押圧する、又は前記タッチパネルから離間するように前記被試験体及び保持部を相対移動させる第１駆動部と、前記弾性部が前記タッチパネルを押圧して前記タッチパネル上を前記軸に沿う方向にスライドするように前記被試験体及び保持部を相対移動させる第２駆動部と、を備えている。【選択図】図３
2014032596.tif 000002
【特許請求の範囲】
【請求項１】
保持部と、
導電性及び弾性を有し、被試験体の静電容量式のタッチパネルに向けて凸状になるように所定の軸周りに湾曲し、前記保持部に保持された弾性部と、
前記弾性部が弾性変形して前記タッチパネルを押圧する、又は前記タッチパネルから離間するように前記被試験体及び保持部を相対移動させる第１駆動部と、
前記弾性部が前記タッチパネルを押圧して前記タッチパネル上を前記軸に沿う方向にスライドするように前記被試験体及び保持部を相対移動させる第２駆動部と、を備えた試験装置。
【請求項２】
前記弾性部が前記タッチパネルを押圧した状態で、前記押圧部は前記タッチパネルに面接触するように変形する、請求項１の試験装置。
【請求項３】
前記弾性部は、前記軸の方向から見た場合に、円形状、円弧状、半円状、Ｌ字状、Ｕ字状のいずれかである、請求項１又は２の試験装置。
【請求項４】
被試験体の静電容量式のタッチパネルに表示された画像をスクロールさせる際に用いられる試験治具であって、
保持部と、
導電性及び弾性を有し、凸状になるように所定の軸周りに湾曲し、前記保持部に保持された弾性部と、を備えた試験治具。
【請求項５】
導電性及び弾性を有し、被試験体の静電容量式のタッチパネルに向けて凸状になるように所定の軸周りに湾曲した弾性部が弾性変形して前記タッチパネルを押圧するように前記被試験体及び弾性部を相対移動させ、
前記弾性部を前記タッチパネル上で前記軸に沿う方向にスライドするように前記被試験体及び弾性部を相対移動させ、
前記弾性部を前記タッチパネルから離間するように前記被試験体及び弾性部を相対移動させる、試験方法。
【発明の詳細な説明】
【技術分野】
【０００１】
本発明は、試験装置、試験治具、及び試験方法に関する。
【背景技術】
【０００２】
被試験体の静電容量式のタッチパネルに表示された画像をスクロールさせて被試験体の試験を行う場合がある。この場合、例えば、タッチパネルを傷つけないために弾性を有した弾性部をタッチパネル上に押圧して所望の量だけスライドさせ、画像を所望の量だけスクロールさせる場合がある。特許文献１〜３には、試験装置に関する技術が開示されている。
【先行技術文献】
【特許文献】
【０００３】
【特許文献１】特開平１１−１６６９４６号公報
【特許文献２】特開２００１−３１８１１６号公報
【特許文献３】特開平９−３３５８７号公報
【発明の概要】
【発明が解決しようとする課題】
【０００４】
スライド中には弾性部にはタッチパネルとの間で発生する摩擦力がスライド方向とは逆方向に作用する。この摩擦力により弾性部はスライド中に変形するおそれがある。この弾性部の変形に起因して、実際の画像のスクロール量が所望のスクロール量に対してずれるおそれがある。
【０００５】
本発明は、静電容量式のタッチパネルに表示された画像へのスクロール操作の精度が向上した試験装置、試験治具、及び試験方法を提供することを目的とする。
【課題を解決するための手段】
【０００６】
本明細書に開示の試験装置は、保持部と、導電性及び弾性を有し、被試験体の静電容量式のタッチパネルに向けて凸状になるように所定の軸周りに湾曲し、前記保持部に保持された弾性部と、前記弾性部が弾性変形して前記タッチパネルを押圧する、又は前記タッチパネルから離間するように前記被試験体及び保持部を相対移動させる第１駆動部と、前記弾性部が前記タッチパネルを押圧して前記タッチパネル上を前記軸に沿う方向にスライドするように前記被試験体及び保持部を相対移動させる第２駆動部と、を備えている。
【０００７】
本明細書に開示の試験治具は、被試験体の静電容量式のタッチパネルに表示された画像をスクロールさせる際に用いられる試験治具であって、保持部と、導電性及び弾性を有し、凸状になるように所定の軸周りに湾曲し、前記保持部に保持された弾性部と、を備えている。
【０００８】
本明細書に開示の試験方法は、導電性及び弾性を有し、被試験体の静電容量式のタッチパネルに向けて凸状になるように所定の軸周りに湾曲した弾性部が弾性変形して前記タッチパネルを押圧するように前記被試験体及び弾性部を相対移動させ、前記弾性部を前記タッチパネル上で前記軸に沿う方向にスライドするように前記被試験体及び弾性部を相対移動させ、前記弾性部を前記タッチパネルから離間するように前記被試験体及び弾性部を相対移動させる。
【発明の効果】
【０００９】
静電容量式のタッチパネルに表示された画像へのスクロール操作の精度が向上した試験装置、試験治具、及び試験方法を提供できる。
【図面の簡単な説明】
【００１０】
【図１】図１Ａ、１Ｂは、本実施例の試験装置の説明図である。
【図２】図２は、本実施例の試験装置の説明図である。
【図３】図３Ａ〜３Ｃは、本実施例の試験装置による試験の説明図である。
【図４】図４Ａ、４Ｂは、本実施例の試験装置による試験の説明図である。
【図５】図５Ａ〜５Ｅは、本実施例と異なる構造を有した試験装置による試験の説明図である。
【図６】図６Ａ〜６Ｃは、本実施例と異なる構造を有した試験装置による試験の説明図である。
【図７】図７は、変形例の試験装置の説明図である。
【図８】図８は、変形例の試験装置の説明図である。
【図９】図９Ａ〜９Ｄは、変形例の試験治具の説明図である。
【発明を実施するための形態】
【００１１】
図１Ａ、１Ｂ、２は、本実施例の試験装置１の説明図である。試験装置１は、携帯電話１００の静電容量式のタッチパネル１１０に表示されている画像へスクロール操作する。被試験体の一例として、携帯電話１００を例示している。被試験体は、タッチパネルが搭載されている電子装置であればよい。被試験体は、例えば、携帯ゲーム機、携帯音楽プレーヤ、携帯ナビゲーション装置、携帯テレビ、タブレット型コンピュータ、タッチパネルを備えたノート型コンピュータ、等の携帯装置であってもよい。また、被試験体は、テレビ、デスクトップ型コンピュータ等に使用されるモニタ、コンピュータを内蔵したモニタ等の据置型の装置であってもよい。
【００１２】
試験装置１は、ゴム１０、保持ロッド２０、直動ユニット３０、４０を含む。ゴム１０は、軸Ａ周りに湾曲している。軸Ａは、被試験体である携帯電話１００のタッチパネル１１０と平行な軸である。ゴム１０は、湾曲した板状である。ゴム１０は、軸Ａの方向から見て略Ｕ字状である。ゴム１０はタッチパネル１１０に向けて凸状となるように湾曲している。ゴム１０は、平板状に成型したものを湾曲させて保持ロッド２０に保持されたものであってもよいし、湾曲状に成型したものであってもよい。ゴム１０は、導電性及び弾性を有している。ゴム１０が弾性を有している理由は、ゴム１０がタッチパネル１１０を押圧した際にタッチパネル１１０に傷をつけないためと、ゴム１０がタッチパネル１１０を押圧した際にゴム１０が変形してタッチパネル１１０との接触面積を確保するためである。ゴム１０が導電性を有している理由は、タッチパネル１１０は静電容量式であるため、ゴム１０が絶縁性を有しているとタッチパネル１１０を操作することができないからである。
【００１３】
ゴム１０は、軸Ａの方向に平行な方向（以下、幅方向と称する）での長さよりも、軸Ａに垂直な方向（以下、長手方向と称する）での長さの方が長い板状であるがこれに限定されない。ゴム１０は、弾性部の一例である。弾性部の材質は、導電性及び弾性を有していれば、剛性樹脂や金属であってもよい。
【００１４】
ゴム１０の長手方向に湾曲するようにして、ゴム１０の端部１４、１６が互いに接合されている。端部１４、１６は、例えば接着剤によって接合されているがこれに限定されず、例えばネジ等によって端部１４、１６を固定してもよい。端部１４、１６は、保持ロッド２０の下端部に固定されている。例えば、保持ロッド２０の下端部にネジの回転量に応じて互いに接離する一対の把持片が設けられ、一対の把持片が端部１４、１６を厚み方向から挟んでゴム１０を保持するものであってもよいがこれに限定されない。保持ロッド２０は、ゴム１０の幅の略中心部を保持している。保持ロッド２０は保持部の一例である。ゴム１０の下端部１２は、ゴム１０の長手方向での略中央部に相当する。下端部１２は、タッチパネル１１０を押圧する弾性部の押圧部の一例である。
【００１５】
直動ユニット３０は、鉛直方向に延びている。直動ユニット３０に対して保持ロッド２０が鉛直方向に往復動可能に連結されている。直動ユニット３０は、第１駆動部の一例である。保持ロッド２０は、取外可能に直動ユニット３０に固定されている。ゴム１０、保持ロッド２０は、試験治具の一例である。直動ユニット４０は、直動ユニット３０を水平方向の往復動可能に連結している。直動ユニット４０は、第２駆動部の一例である。直動ユニット３０、４０は、それぞれアクチュエータにより駆動するがこれに限定されない。コントローラＣは、直動ユニット３０、４０の位置を検出する共に、直動ユニット３０、４０の駆動を制御する。コントローラＣは、ＲＡＭ、ＲＯＭ、ＣＰＵ等を備えたコンピュータである。ＲＯＭには、直動ユニット３０、４０を駆動するためのプログラムが格納されている。ＣＰＵは、操作指令やセンサからの入力に応じてプログラムを読み出して所定の処理を実行する。
【００１６】
試験方法について簡単に説明する。図１Ｂ、２に示すように、所定の台に配置された携帯電話１００のタッチパネル１１０をゴム１０が押圧するように、直動ユニット３０を駆動して保持ロッド２０を下降させる。この際に、ゴム１０の下端部１２が変形して、下端部１２がタッチパネル１１０の面にならうまで保持ロッド２０を下降させる。即ち、ゴム１０の下端部１２はタッチパネル１１０に面接触させる。この状態で、直動ユニット４０により直動ユニット３０をＡの方向に移動させる。これによりタッチパネル１１０の画像をスクロールさせる。その後、直動ユニット４０を所望の位置で停止し、直動ユニット３０により保持ロッド２０を上昇させてゴム１０をタッチパネル１１０から離間させる。
【００１７】
次に、試験方法について具体的に説明する。図３Ａ〜３Ｃ、図４Ａ、４Ｂは、本実施例の試験装置１による試験方法の説明図である。図４Ａ、４Ｂは、携帯電話１００のタッチパネル１１０に表示される画像の一例を示した図である。タッチパネル１１０に表示される画像には、複数の領域Ｒが識別可能に表示されている。何れかの領域Ｒ上を押圧することにより、携帯電話１００にインストールされている所定のアプリケーションが起動する。また、押圧ロッド９０は、タッチパネル１１０の上部で待機している、アプリケーション起動用の押圧部材である。本実施例では、試験装置１により領域Ｒａと押圧ロッド９０とが重なる位置まで画像をスクロールして、押圧ロッド９０により領域Ｒａを押圧する試験を一例に説明する。なお、押圧ロッド９０は試験装置１が兼ねてもよい。
【００１８】
図３Ａは、タッチパネル１１０にゴム１０を押圧した直後の状態を示している。図３Ａに示すように、軸２０Ｃは、保持ロッド２０の中心軸を示している。換言すれば、軸２０Ｃは、直動ユニット３０の中心軸を示している。軸１０Ｃは、ゴム１０の下端部１２とタッチパネル１１０との接触面の略中心を通過するゴム１０の接触面の中心軸を示している。位置ＰＰは、軸１０Ｃに押圧されているタッチパネル１１０の画像の押圧位置を示している。尚、タッチパネル１１０に接触するゴム１０の接触面が略矩形状になることから、図４Ａ、４Ｂにおいては、軸１０Ｃ、２０Ｃを矩形状で示している。
【００１９】
この状態で、領域Ｒａが押圧ロッド９０に重なるために必要となる画像のスクロール量を直動ユニット３０の移動量として設定する。例えば、カメラや目視によって所望のスクロール量を設定してもよいし、試験実行前に予め設定されたスクロール量を設定してもよい。この状態で軸Ａに沿う方向に直動ユニット３０を所望の量だけ移動させることにより、ゴム１０はタッチパネル１１０を押圧した状態で軸Ａに沿う方向にタッチパネル１１０上をスライドする。これにより、図４Ｂに示すように、領域Ｒａを押圧ロッド９０の位置まで移動させることができる。その後、図３Ｃに示すように、直動ユニット３０を駆動して保持ロッド２０を上昇させてゴム１０をタッチパネル１１０から退避させる。その後、押圧ロッド９０を下降して領域Ｒａを押圧し、所定のアプリケーションが起動するか否かを試験する。
【００２０】
次に、本実施例と異なる構造を有した試験装置１ｘについて説明する。試験装置１ｘについて、本実施例の試験装置１と類似の符号を付することにより重複する説明を省略する。図５Ａ〜５Ｅ、６Ａ〜６Ｃは、本実施例と異なる構造を有した試験装置１ｘによる試験の説明図である。
【００２１】
図５Ａに示すように、ゴム１０ｘは、半球状である。上端面は平坦であり、下端面は下方に突出した曲面である。下端面は中心部が最も下方に突出している。ゴム１０ｘの上端面の略中心が保持ロッド２０ｘに固定されている。ゴム１０ｘも、導電性及び弾性を有する。ゴム１０ｘがタッチパネル１１０に押圧されると、ゴム１０ｘの下端部１２ｘがタッチパネル１１０に倣うように変形してタッチパネル１１０を押圧する。ここで、軸１０ｘＣ、２０ｘＣは同軸状になり、位置ＰＰも軸１０ｘＣ、２０ｘＣ上に位置する。図６Ａは、ゴム１０ｘがタッチパネル１１０を押圧した状態である。図６Ａにおいては、軸１０ｘＣ、２０ｘＣの位置を大きさが相違する円で示している。この状態で、領域Ｒａが押圧ロッド９０に重なるために必要となる画像のスクロール量を直動ユニット３０ｘの移動量として設定する。
【００２２】
図５Ｂの状態からゴム１０ｘをタッチパネル１１０上でスライドさせると、ゴム１０ｘとタッチパネル１１０との間の摩擦力により、ゴム１０ｘにはスライド方向とは逆方向の力が作用する。これによりゴム１０ｘは変形して、軸２０ｘＣに対して軸１０ｘＣがスライド方向とは逆方向にずれる。これにより、軸２０ｘＣに対して位置ＰＰもずれる。このため、直動ユニット３０ｘを予め設定されたスクロール量だけ移動させても、ゴム１０ｘが変形しているため、図６Ｂに示すように、実際の画像のスクロール量が設定されたスクロール量に足りなくなるおそれがある。このため、領域Ｒａが押圧ロッド９０に適切に重ねなるまで画像をスクロールすることができないおそれがある。
【００２３】
また、図５Ｄ、５Ｅに示すように、ゴム１０ｘが変形した状態でタッチパネル１１０から離間させる際に、元の形状に戻ろうとするゴム１０ｘの弾性復元力がタッチパネル１１０に作用して、画像を余分にスクロールさせるおそれがある。この場合も図６Ｃに示すように、画像を適切にスクロールさせることができずに、試験を適切に行えないおそれがある。
【００２４】
本実施例においては、図３Ａ、３Ｂに示したように、ゴム１０を軸Ａに沿う方向にスライドさせているため、ゴム１０とタッチパネル１１０との間に発生する摩擦力によってもゴム１０は変形しにくい。この理由は、下端部１２に作用する摩擦力は、ゴム１０の幅方向に作用し、ゴム１０は幅方向には変形しにくいからである。このため、スライド中においても軸１０Ｃ、２０Ｃのずれ、軸１０Ｃと位置ＰＰのずれが抑制され、タッチパネル１１０の画像を所望の量だけ適切にスクロールさせることができる。このようにして試験装置１においては、タッチパネル１１０に表示された画像のスクロール操作の精度が向上している。
【００２５】
次に、変形例の試験装置について説明する。図７、８は、変形例の試験装置１ａの説明図である。直動ユニット５０ａは、携帯電話１００を支持する台Ｓを水平面内の所定方向に往復動させる。直動ユニット４０ａは、直動ユニット５０ａを水平面内において前記所定方向に直交する方向に往復動させる。直動ユニット４０ａ、５０ａは、第２駆動部の一例である。直動ユニット３０ａは、保持ロッド２０ａを昇降させる。直動ユニット３０ａは第１駆動部の一例である。回転ユニット６０ａは、直動ユニット３０ａと保持ロッド２０ａとの間に設けられ、直動ユニット３０ａの軸周りに保持ロッド２０ａを回転させる。直動ユニット３０ａ、４０ａ、５０ａ、回転ユニット６０ａは、コントローラＣａによって制御されている。
【００２６】
図８に示すように、軸Ａａに沿う方向にゴム１０ａがスライドするように、直動ユニット４０ａ又は直動ユニット５０ａにより台Ｓを移動させる。これによって、タッチパネル１１０の画像のスクロールが行われる。尚、タッチパネル１１０の画像を短手方向にスクロールさせる場合、回転ユニット６０ａによりゴム１０ａを回転させてスクロール方向と軸Ａａの方向とを一致させてから、ゴム１０ａをタッチパネル１１０に押圧、スライドさせる。尚、保持ロッド２０ａの下端面に、ゴム１０ａの両端部が差し込むための孔が設けられており、この孔にゴム１０ａの両端部を差し込むことにより、ゴム１０ａが保持ロッド２０ａに保持されたものであってもよい。
【００２７】
次に、試験治具の変形例について説明する。図９Ａ〜９Ｄは、試験治具の変形例の説明図である。尚、図９Ａ〜９Ｄにおいては、保持ロッド２０ｂ〜２０ｅを破線で示している。図９Ａに示すように、ゴム１０ｂは略円筒状である。軸Ａｂの方向から見た場合ゴム１０ｂは略円形状である。円筒形状のゴム１０ｂの外周面側が保持ロッド２０ｂに固定されている。このような形状のゴム１０ｂにおいても、ゴム１０ｂをタッチパネル１１０に押圧した際の下端部１２ｂの弾性変形を確保し、スライド時での軸Ａｂ方向での変形は抑制される。これにより、タッチパネル１１０を傷つけることなく所望の量だけタッチパネル１１０の画像をスクロールさせることができる。
【００２８】
図９Ｂに示すように、ゴム１０ｃは軸Ａｃの方向から見て略半円弧状である。保持ロッド２０ｃは、ロッド部２２ｃ、ロッド部２２ｃに固定されている板状の板部２４ｃを含む。ロッド部２２ｃは、板部２４ｃの略中央に接続されている。
ゴム１０ｃの端部１４ｃ、１６ｃが板部２４ｃに固定されているが、固定の方法は問わない。例えば、板部２４ｃの下端面に、ゴム１０ｃの端部１４ｃ、１６ｃがそれぞれ挿入可能な長溝を設けて、その溝に端部１４ｃ、１６ｃを挿入することにより、ゴム１０ｃは保持ロッド２０ｃに保持されていてもよい。
【００２９】
図９Ｃに示すように、ゴム１０ｄは、略半円筒状である。ゴム１０ｄは軸Ａｄの方向から見て略半円状である。ゴム１０ｄは、下端部１２ｄを含む円弧状の部分、円弧状の部分の両端部に連続し平板状の上端部１８ｄ、を含む。上端部１８ｄの略中心が保持ロッド２０ｄに固定されている。
【００３０】
図９Ｄに示すように、ゴム１０ｅは、軸Ａｅの方向から見て略Ｌ字状である。ゴム１０ｅの下端部１２ｅは、比較的急角度で湾曲している。保持ロッド２０ｅは、ロッド部２２ｅ、ロッド部２２ｅに固定され２つの角度が異なる板部２４ｅ、２６ｅを含む。ゴム１０ｅの端部１４ｅ、１６ｅは、それぞれ板部２４ｅ、２６ｅに固定されている。
【００３１】
以上の保持ロッド２０〜２０ｅは、保持部の一例でありこのような形状でなくてもよい。また、ゴム１０〜１０ｅは、弾性部の一例でありこのような形状でなくてもよい。弾性部は、タッチパネル１１０に向けて突出するように軸方向から見て円形状、円弧状、半円状、Ｌ字状、Ｕ字状の少なくとも一つの形状であればよいし、またこれ以外であってもよい。
【００３２】
図１Ａ、１Ｂに示したように、携帯電話１００の位置を固定してゴム１０を移動させてもよいし、図８Ａに示したように、ゴム１０ａの位置を固定して携帯電話１００を移動させてもよい。即ち、ゴム１０と携帯電話１００とが相対移動してスクロール操作できればよい。また、ゴム１０を携帯電話１００のタッチパネル１１０に押圧する際も、ゴム１０の位置を固定して携帯電話１００を移動させてもよい。即ち、ゴム１０と携帯電話１００とが相対移動してゴム１０が携帯電話１００を押圧すればよい。
【００３３】
Ａ周りに湾曲したゴム１０は、空洞状であるがこれに限定されない。例えば、ゴム１０が覆うようにゴム１０よりも柔らかい部材が設けられていてもよい。例えば、液体、粘性のある液体、ゲル状の物質の少なくとも一つを密封した袋体をゴム１０が覆うように保持してもよい。また、スポンジなどの発泡体をゴム１０が覆うように保持してもよい。また、ゴム１０よりも柔らかい材質のゴムのような弾性体をゴム１０が覆うように保持してもよい。
【００３４】
以上本発明の好ましい一実施形態について詳述したが、本発明は係る特定の実施形態に限定されるものではなく、特許請求の範囲に記載された本発明の要旨の範囲内において、種々の変形・変更が可能である。
【符号の説明】
【００３５】
１  試験装置
１０  ゴム（弾性部）
１２  下端部
２０  保持ロッド（保持部）
３０、４０  直動ユニット（第１、第２駆動部）
１００  携帯電話（被試験体）
１１０  タッチパネル
【図１】
2014032596.tif 000003
【図２】
2014032596.tif 000004
【図３】
2014032596.tif 000005
【図４】
2014032596.tif 000006
【図５】
2014032596.tif 000007
【図６】
2014032596.tif 000008
【図７】
2014032596.tif 000009
【図８】
2014032596.tif 000010
【図９】
2014032596.tif 000011